(57)【要約】【課題】建込み精度が簡単に確保できるソイルセメント柱列壁用の芯材の建込み治具および建込み方法を提供することである。【解決手段】ソイルセメント柱列壁用の芯材の建込み治具１は、Ｈ形鋼２の上下面のウエブ３とフランジ４とを覆うようにして上下部接続プレート５、６がそれぞれ設けられ、フランジ４を中心にした上下部接続プレート５、６の両側にはボルト挿入口７が設けられ、フランジ４を中心にした上下部接続プレート５、６の一方側には切欠部８が形成されたことである。【選択図】図１
2007277975.tif 000002
【特許請求の範囲】
【請求項１】
Ｈ形鋼の上下面のフランジとウエブとを覆うようにして上下部接続プレートがそれぞれ設けられ、フランジを中心にした上下部接続プレートの両側にはボルト挿入口が設けられ、フランジを中心にした上下部接続プレートの一方側には切欠部が形成されたことを特徴とするソイルセメント柱列壁用の芯材の建込み治具。
【請求項２】
掘削孔よりも短いソイルセメント柱列壁用の芯材を請求項１の建込み治具を使って建て込むものであり、芯材の上面に設けた接合プレートに建込み治具を、上下部接続プレートのボルト挿入口に挿入した接合ボルトで接合し、建込み治具が接合された芯材を掘削孔のソイルセメント中に挿入したときに、該掘削孔から突出した建込み治具で芯材の建て込み精度を確保した後に、建込み治具を芯材から取り外すことを特徴とするソイルセメント柱列壁用の芯材の建込み方法。
【請求項３】
建込み治具は、建込み治具が接合された芯材を掘削孔に挿入したときに、掘削孔から突出する長さであることを特徴とする請求項２に記載のソイルセメント柱列壁用の芯材の建込み方法。
【発明の詳細な説明】
【技術分野】
【０００１】
本願発明はソイルセメント柱列壁用の芯材の建込み治具およびこの建込み治具を使用したソイルセメント柱列壁用の芯材の建込み方法に関するものである。
【背景技術】
【０００２】
ソイルセメント柱列壁に挿入される芯材は、応力を伝達するための重要な構造部材であるが、掘削孔におけるソイルセメント中に挿入したときの建て込み精度が確保できるのは、図７の（１）に示すように、芯材１６がソイルセメント１７より上、すなわち掘削孔１８より上にある場合だけである。したがって、同図の（２）に示すように、芯材１６の天端を掘削孔１８より下側に位置させる場合は、ソイルセメント１７中に自由落下させるか、芯材１６に他の鋼材１９を接合しなければならなかった。またその他のソイルセメント柱列壁用の芯材の建込み方法としては、例えば特開平９−７８５７３号の発明が知られている。
【特許文献１】特開平９−７８５７３号公報
【発明の開示】
【発明が解決しようとする課題】
【０００３】
しかし、上記のソイルセメント柱列壁用の芯材の建込み方法は、自由落下の場合は、図７の（３）に示すように、芯材１６の位置が確認できないため建て込み精度が確保できず、また他の鋼材１９を接合する場合は、同図の（４）に示すように、鋼材１９が残るので掘削工事において障害になるという問題があった。
【０００４】
本願発明はこれらの問題に鑑みてなされたものであり、その目的は、建込み精度が簡単に確保できるソイルセメント柱列壁用の芯材の建込み治具および建込み方法を提供することである。
【課題を解決するための手段】
【０００５】
以上の課題を解決するためのソイルセメント柱列壁用の芯材の建込み治具は、Ｈ形鋼の上下面のフランジとウエブとを覆うようにして上下部接続プレートがそれぞれ設けられ、フランジを中心にした上下部接続プレートの両側にはボルト挿入口が設けられ、フランジを中心にした上下部接続プレートの一方側には切欠部が形成されたことを特徴とする。
またソイルセメント柱列壁用の芯材の建込み方法は、掘削孔よりも短いソイルセメント柱列壁用の芯材を請求項１の建込み治具を使って建て込むものであり、芯材の上面に設けた接合プレートに建込み治具を、上下部接続プレートのボルト挿入口に挿入した接合ボルトで接合し、建込み治具が接合された芯材を掘削孔のソイルセメント中に挿入したときに、該掘削孔から突出した建込み治具で芯材の建て込み精度を確保した後に、建込み治具を芯材から取り外すことを特徴とする。また建込み治具は、建込み治具が接合された芯材を掘削孔に挿入したときに、掘削孔から突出する長さであることを含むものである。
【発明の効果】
【０００６】
地盤を掘削して芯材を露見しなければ建て込み精度の確認ができなかったのに比べて、掘削孔の上で芯材の建て込み精度を確認することができるので、精度高い建て込みが簡単にできる。
【発明を実施するための最良の形態】
【０００７】
以下、本願発明のソイルセメント柱列壁用の芯材の建込み治具（以下建込み治具という）、およびソイルセメント柱列壁用の芯材の建込み方法（以下建込み方法という）について説明する。はじめに建込み治具について説明し、次に、この建込み治具を使用した建込み方法について説明するが、各実施の形態において同じ構成は同じ符号を付して説明し、異なった構成にのみ異なった符号を付して説明する。
【０００８】
図１は建込み治具１の斜視図および断面図を示したものであり、適宜長さのＨ形鋼２の上下両面にウエブ３とフランジ４を覆うようにして上下部接続プレート５、６が溶接接合されて構成されている。
【０００９】
この上下部接続プレート５、６のフランジ４を中心にした両側に接合ボルトを挿入するボルト挿入口７が設けられ、フランジ４を中心にした一方側（片側）には切欠部８が形成されている。この切欠部８は隣接孔（図示せず）を掘削する際の掘削機の邪魔にならないようにするものであり、湾曲状に形成されている。
【００１０】
この建込み治具１は、掘削孔９よりも短い芯材１０の建込み精度を確保するものであるため、芯材１０に接合されて掘削孔９に挿入したときに、掘削孔９の上面から突出する長さを有する必要がある。
【００１１】
一方、この建込み治具１が接合される芯材１０であるＨ形鋼には、図２の（１）および（２）に示すように、上面に接合プレート１１が設置されている必要があり、この下面には建込み治具１からの接合ボルトをねじ込むナット１２が設置されている。また、この接合プレート１１のフランジを中心にした一方側（片側）にも、上記と同じ切欠部８が形成されている。
【００１２】
したがって、図２の（３）に示すように、建込み治具１の下部接続プレート６を芯材１０の接合プレート１１に重ね合わせ、接合ボルト１３を接合プレート１１のナット１２にねじ込むことにより、建込み治具１が芯材１０に接合され、これとは反対に接合ボルト１３をナット１２から取り外すと建込み治具１が芯材１０から取り外せる。
【００１３】
次に、この建込み治具を使用した建込み方法について説明する。はじめに、図３に示すように、Ｈ形鋼の上面に接合プレート１１が取り付けられた芯材１０、すなわち掘削孔９よりも短くて、掘削孔９に挿入されたときに天端が施工レベルから目視できない芯材１０に建込み治具１を接合する。
【００１４】
この接合は、上記のように建込み治具１の上下部接続プレート５、６のボルト挿入口７に挿入した接合ボルト１３を芯材１０の接合プレート１１のナット１２にねじ込んで行うものである。
【００１５】
次に、図４に示すように、この建込み治具１が接合された芯材１０を掘削孔９のソイルセメント１４内に挿入すると、建込み治具１の上部が掘削孔９からわずかに突出するので、これによって芯材１０の建て込み精度を確保する。
【００１６】
そして、この建て込み精度を確保した後に、図５に示すように、接合ボルト１３を接合プレート１１のナット１２から取り外して建込み治具１を芯材１０から引き離すと、建て込み精度を確保した芯材１０がソイルセメント１４内に設置される。この作業を順次繰り返すことによりソイルセメント柱列壁を構築することができる（図６参照）。
【図面の簡単な説明】
【００１７】
【図１】建込み治具を示し、（１）は斜視図、（２）は断面図である。
【図２】芯材を示し、（１）は斜視図、（２）は断面図である。
【図３】建込み治具を芯材に接合した断面図である。
【図４】建込み治具を接合した芯材を掘削孔に挿入する断面図である。
【図５】建込み治具を接合した芯材を掘削孔に建て込んだ断面図である。
【図６】建込み治具を芯材から取り外した断面図である。
【図７】（１）はソイルセメント柱列壁の斜視図、（２）は地盤を掘削したソイルセメント柱列壁の断面図、（３）および（４）は芯材を掘削孔に建て込んだ断面図である。
【符号の説明】
【００１８】
１  建込み治具
２  Ｈ形鋼
３  ウエブ
４  フランジ
５  上部接続プレート
６  下部接続プレート
７  ボルト挿入口
８  切欠部
９、１８  掘削孔
１０、１６  芯材
１１  接合プレート
１２  ナット
１３  接合ボルト
１４、１７  ソイルセメント
１９  鋼材
【図１】
2007277975.tif 000003
【図２】
2007277975.tif 000004
【図３】
2007277975.tif 000005
【図４】
2007277975.tif 000006
【図５】
2007277975.tif 000007
【図６】
2007277975.tif 000008
【図７】
2007277975.tif 000009